(57)【要約】【課題】本発明は、Ｆ型接栓の取り付け強度を大きくすることを目的とするものである。【解決手段】本発明は、この課題を解決するために縦側面２１と縦側面に対向して設けられた縦側面２２と縦側面２１、２２とに直交して連結された横側面２３とを有した金属製の枠体２４と、横側面２３に対向して設けられるとともに、縦側面２１、２２の間に連結された仕切り板２５と、縦側面２１に対向して設けられた仕切り板２６と、縦側面２１と横側面２３と仕切り板２５と仕切り板２６との上側端部で連結された天面２７と、天面の上側に設けられたＦ型接栓２８を備え、前記縦側面２１と横側面２３と仕切り板２５、２６は天面２７から一体に折り曲げて形成されたものである。これにより、枠体の変形を抑制し、Ｆ型接栓２８の取り付け強度を大きくすることができる。【選択図】図１
2009158654.tif 000002
【特許請求の範囲】
【請求項１】
第１の縦側面とこの第１の縦側面に対向して設けられた第２の縦側面とこの第２の縦側面と前記第１の縦側面とに直交して連結された横側面とを有した金属製の枠体と、前記横側面に対向して設けられるとともに、前記第１と第２の縦側面との間を橋渡しするように連結する第１の仕切り板と、前記第１の縦側面に対向して設けられた第２の仕切り板と、前記第１の縦側面と前記横側面と前記第１の仕切り板と前記第２の仕切り板との上側端部で連結された天面と、天面の上側に設けられたコネクタとを備え、前記第１の縦側面と前記横側面と前記第１および第２の仕切り板は前記天面から一体に折り曲げて形成されたケース。
【請求項２】
第１の仕切り板の両側端部は、第１と第２の横側面近傍まで延在して設けられた請求項１に記載のケース。
【請求項３】
少なくとも第１と第２の仕切り板のいずれか一方の下端部より延在して設けられる脚を設け、前記脚はケース内に嵌合されて設けられた基板に対して固定された請求項１に記載のケース。
【請求項４】
天面にはコネクタの挿入部が挿入されて、カシメ固定される孔を設け、脚は前記カシメと前記コネクタの中心とを結ぶ直線の延長線上近傍の位置に配置した請求項３に記載のケース。
【請求項５】
天面には、第２の縦側面に連結された延在部を設け、この延在部では横側面もしくは第１の仕切り板のいずれか一方と一体に連結された請求項１に記載のケース。
【請求項６】
請求項１に記載のケースと、このケース内に嵌合された基板と、この基板の少なくとも一方の面に搭載された電子部品とからなる電子機器。
【請求項７】
請求項６に記載のケースと、このケース内に嵌合された基板と、この基板の少なくとも一方の面に搭載された電子部品とを備え、脚は前記基板へ固定された電子機器。
【請求項８】
少なくとも第１と第２の仕切り板のいずれか一方の下端部は、基板上面へ当接された請求項７に記載の電子機器。
【発明の詳細な説明】
【技術分野】
【０００１】
本発明は、コネクタを備えた、ケースとこれを用いた電子機器に関するものである。
【背景技術】
【０００２】
以下、従来の電子機器について、図面を用いて説明する。図５は従来の電子機器の斜視図であり、図６は、同、分解斜視図であり、図７は同、断面図であり、図８は同、展開図である。図５から図８において、金属製のケース１０は、枠体４と、この枠体内に設けられた仕切り板５、１１、１２とから構成されている。ここで、枠体４は縦側面１、２および横側面３ａ、３ｂによって形成され、その下方側が開放されている。
【０００３】
仕切り板５は、横側面３ａ、３ｂと並行に配置され、その一方端において縦側面１と連結されている。この仕切り板５の他方端には、横側面３ａとの間を連結する連結部６を備えている。ここで、コネクタ７は端子板８に取り付けられており、この端子板８は縦側面１と横側面３との連結部６や、縦側面１と仕切り板５との連結部、そして連結部６の上に、はんだ付けによって取り付けられていた。そしてこのようなケース１０には、その開放側から基板９が嵌合され、基板９の周縁にてケース１０に半田付け固定されていた。
【０００４】
なお、この出願の発明に関連する先行技術文献情報としては、例えば、特許文献１が知られている。
【特許文献１】実開平２−１４６７７５号公報
【発明の開示】
【発明が解決しようとする課題】
【０００５】
しかしながらこのような従来の、ケースとこれを用いた電子機器の構成では、コネクタ７に任意の方向から外力を与えたとき、第１の仕切り板５や連結部６が変形しやすく、コネクタ７がケース１０から外れやすいという問題があった。
【０００６】
そこで本発明は、この問題を解決したもので、コネクタの取り付け強度が強固なケースを提供することを目的としたものである。
【課題を解決するための手段】
【０００７】
この目的を達成するために、本発明のケースとこれを用いた電子機器は、第１の縦側面とこの第１の縦側面に対向して設けられた第２の縦側面とこの第２の縦側面と前記第１の縦側面とに直交して連結された横側面とを有した金属製の枠体と、前記横側面に対向して設けられるとともに、前記第１と第２の縦側面との間を橋渡しするように連結する第１の仕切り板と、前記第１の縦側面に対向して設けられた第２の仕切り板と、前記第１の縦側面と前記横側面と前記第１の仕切り板と前記第２の仕切り板との上側端部で連結された天面と、天面の上側に設けられたコネクタとを備え、前記第１の縦側面と前記横側面と前記第１および第２の仕切り板は前記天面から一体に折り曲げて形成されたものである。これにより所期の目的を達成することができる。
【発明の効果】
【０００８】
以上のように本発明によれば、第１の縦側面と横側面と第１および第２の仕切り板は天面から一体に折り曲げて形成されるとともに、第１の仕切り板は第１と第２の縦側面間を橋渡しするように設けられ、この天面にコネクタが固定されているため、枠体の変形が抑制され、コネクタの取り付け強度を強固にする効果がある。また、別ピースの端子板なしでコネクタの取り付けができる。
【発明を実施するための最良の形態】
【０００９】
（実施の形態１）
以下、本実施の形態におけるチューナ（電子機器の一例として用いた）について図面を用いて説明する。図１は、本実施の形態における電子機器の斜視図であり、図２、図３は、同、断面図であり、図４は同、展開図である。なお、これらの図１から図４において、従来と同じものには同じ番号を用い、その説明は簡略化している。
【００１０】
本実施の形態においてチューナはＴＶ放送を受信するために、基板３１上に高周波回路が構成されたものである。なお、基板３１には複数の電子部品が実装・半田付けされて、回路が構成される。この基板３１は金属製のケース３０内へ嵌合され、この基板３１の周縁にて半田などによってケース３０へと接続・固定される。そして、ケース３０の上方と下方の開放部に金属製のカバーが装着されてチューナが完成する。
【００１１】
では次に本実施の形態におけるケース３０について詳細に説明する。ケース３０は、長方形状の枠体２４と、この枠体２４の内部に設けられた仕切り板２５、２６、３４、３５によって構成されている。なおケース３０には表面処理鋼板を用いており、本実施の形態では、冷間圧延鋼板の表面上に錫と亜鉛とニッケル合金によるめっき層が形成されたものである。
【００１２】
枠体２４には、互いに対向して配置された縦側面２１、２２と、これらの縦側面２１、２２に直交して配置された横側面２３ａ、２３ｂを有している。そしてこの枠体２４の下側が開放されており、基板３１はこの下側の開放側よりケース３０へと嵌合される。仕切り板２５は、横側面２３に対向し、かつ縦側面２１に対して直交するように配置されている。また、仕切り板２６は、縦側面２１に対向し、かつ横側面２３ａに対して直交するように配置されている。
【００１３】
ここで天面２７は、その周縁部にて、縦側面２１、横側面２３、仕切り板２５、２６の上端と連結されており、これらは一体に折り曲げて形成されている。なおＦ型接栓２８は、天面２７の上側に固定されており、天面２７のほぼ中央に設けられた孔２７ａに対して、Ｆ型接栓２８（コネクタの一例として用いた）がかしめ固定されている。なお、本実施の形態ではＦ型接栓を用いたが、これ以外にもＩＥＣコネクタやフォノジャックなどでも良い。
【００１４】
以上の構成により、仕切り板２５によって縦側面２１と縦側面２２との間が橋渡しされるとともに、縦側面２１と横側面２３と仕切り板２５、２６は天面２７の４方に、天面２７と一体に折り曲げて形成されているので、Ｆ型接栓２８に与えられる力などに対してもケース３０の変形を抑制することができる。従って、Ｆ型接栓２８のケース３０への取り付け強度を大きくできる。また、従来のように別ピースの端子板８が不要であり、その取り付けも不要となるので、低価格なケースを実現できる。また、従来に比べて厚みの薄い鋼板を用いることも可能となるので、さらに低価格なケースを実現できる。
【００１５】
なお本実施の形態において、仕切り板２５は、縦側面２１、２２近傍まで延在して設けられ、その両端部に連結部を設けているため、さらに仕切り板２５の変形を抑制でき、さらにＦ型接栓２８の取り付け強度を大きくできる。このときできれば、仕切り板２５の側端部と縦側面２１、２２の内面とを当接させることが望ましい。
【００１６】
また、本実施の形態における仕切り板２５と仕切り板２６には、それらの下端部より延在して設けられた脚２９ａ、脚２９ｂがそれぞれに設けられる。これら、脚２９ａや脚２９ｂは基板３１に設けられた孔（図示せず）へ挿入され、基板３１の下面側において、基板３１へはんだ付けによって接続される。このようにしているので、この脚２９ａ、２９ｂが基板３１へ直接固定されることとなり、天面方向への枠体２４の変形を抑制し、さらに取り付け強度を大きくできる。
【００１７】
なおこの脚は、Ｆ型接栓２８に力が加えられた時に天面２７の周縁部において最も大きく変形する位置に設ける。このようにすることで、天面の変形を小さくできＦ型接栓の取り付け強度を大きくできる。
【００１８】
ここで本実施の形態におけるＦ型接栓２８は、孔２７ａへの挿入部を６箇所でカシメ固定することによって、天面２７へ固定されている。このとき、脚２９ａあるいは脚２９ｂは、Ｆ型接栓中心とカシメ部とを結ぶ線の延長線上となるように設けることが望ましい。これは、Ｆ型接栓２８に加えられた力はカシメ部分へと集中することに起因し、脚２９ａ（あるいは２９ｂ）をＦ型接栓中心とカシメ部とを結ぶ線の延長線上の近傍に位置させることによって、カシメ部での天面の変形を小さくできる。従って、さらにコネクタの取り付け強度を大きくすることができる。
【００１９】
さらに、本実施の形態においてこの脚２９ａや脚２９ｂを基板３１上に形成された回路のグランドと接続することにより、アースが強化されて電気性能が安定するとともに、シールド効果の高いケースを得ることができる。
【００２０】
さらにまた、本実施の形態における天面２７には、縦側面２２に連結された延在部３２を設けている。この延在部３２では横側面２３もしくは仕切り板２５のいずれか一方と一体に連結されているため、天面２７の変形を抑制し、さらにＦ型接栓２８の取り付け強度を大きくできる。
【００２１】
それに加えて、本実施の形態において仕切り板２５、２６の下端部３３ａ、３３ｂは、基板３１の上面へ当接させている。これにより、基板３１方向への枠体２４の変形を抑制し、さらにコネクタの取り付け強度を大きく強固にできる。これにより、基板３１と仕切り板２５、２６との間の隙間を小さくできるので、シールド効果も高めることができる。なおこのときに、基板３１の表面に形成したグランドパターンと仕切り板２５、２６の下端部とをはんだ付け接続すれば、さらにアースを強化することができ、高周波信号の漏洩などによる電気性能の劣化を改善することができる。
【００２２】
では次に、図１、展開図４を用いて、基板３１上に実装された、高周波発振回路部品３６と各仕切り板の配置について説明する。仕切り板３４は、仕切り板２５の後方に、仕切り板２５と平行に配置されている。また仕切り板３５は、仕切り板３４と横側面２３ｂとの間に設けられている。なお、仕切り板３４の中央部には、仕切り板３５と連結するための連結部が設けられている。
【００２３】
この仕切り板２５の折り曲げ方向は、横側面２３ａと反対方向になるので、仕切り板３４も仕切り板２５の折り曲げ方向と同じ方向に折り曲げられることとなる。これにより、仕切り板３５の寸法ｂは、従来のケースにおける仕切り板の寸法ａよりも短くなる。
【００２４】
ここで、仕切り板３５は、高周波発振回路部品３６と、電子部品３７とを分離する目的がある。そこで、基板３１上に実装された高周波発振回路部品３６は、仕切り板３５を挟んで基板３１上に実装された電子部品３７に対して仕切り板３５によって分離できる位置に配置すると良い。つまりそれぞれが見通せない位置に配置するのである。特に高周波発振回路部品３６が空芯コイルである場合には、その空芯コイルの軸線（磁界）が仕切り板３５で遮られるようにする。これにより、高周波発振回路で発振した信号が、隣接した回路へ飛び込みにくくなるので、妨害に強いチューナを実現できる。
【産業上の利用可能性】
【００２５】
本発明にかかる、ケースとこれを用いた電子機器は、コネクタの取り付け強度を強固にできるという効果を有し、特に機器利用者がコネクタを脱着するような装置に用いる電子機器等に用いると有用である。
【図面の簡単な説明】
【００２６】
【図１】本発明の実施の形態１における電子機器の斜視図
【図２】同、断面図
【図３】同、断面図
【図４】同、ケースの展開図
【図５】従来の電子機器の斜視図
【図６】同、分解斜視図
【図７】同、断面図
【図８】同、展開図
【符号の説明】
【００２７】
２１  縦側面
２２  縦側面
２３ａ  横側面
２４  枠体
２５  仕切り板
２６  仕切り板
２７  天面
２８  Ｆ型接栓
３０  ケース
【図１】
2009158654.tif 000003
【図２】
2009158654.tif 000004
【図３】
2009158654.tif 000005
【図４】
2009158654.tif 000006
【図５】
2009158654.tif 000007
【図６】
2009158654.tif 000008
【図７】
2009158654.tif 000009
【図８】
2009158654.tif 000010